(57)【要約】一実施形態に係る光コネクタは、第１光ファイバを保持し、第１光ファイバの第１光軸に平行な第１平坦面を外面に有する円筒状のレセプタクルと、第２光ファイバを保持し、第２光ファイバの第２光軸に平行な第２平坦面を外面に有する円筒状の光ファイバ保持部材と、第１光軸を第２光軸に位置合わせするために第１平坦面及び第２平坦面と面接触する第３平坦面を有し、第１光ファイバを第２光ファイバに光学的に結合するためにレセプタクル及び光ファイバ保持部材のそれぞれを押圧するクリップ部材と、を備える。【選択図】図７Ａ
2020535488.tif 000002
【特許請求の範囲】
【請求項１】
第１光ファイバを保持し、前記第１光ファイバの第１光軸に平行な第１平坦面を外面に有する円筒状のレセプタクルと、
第２光ファイバを保持し、前記第２光ファイバの第２光軸に平行な第２平坦面を外面に有する円筒状の光ファイバ保持部材と、
前記第１光軸を前記第２光軸に位置合わせするために前記第１平坦面及び前記第２平坦面と面接触する第３平坦面を有し、前記第１光ファイバを前記第２光ファイバに光学的に結合するために前記レセプタクル及び前記光ファイバ保持部材のそれぞれを押圧するクリップ部材と、
を備える光コネクタ。
【請求項２】
前記第２光ファイバはＰＭＦ（Polarization Maintaining Fiber）であり、
前記第２光ファイバは、前記第３平坦面に平行なスロー軸又はファスト軸を有する、
請求項１に記載の光コネクタ。
【請求項３】
前記第１光ファイバはＰＭＦ（Polarization Maintaining Fiber）であり、
前記第１光ファイバは、前記第３平坦面に平行なスロー軸又はファスト軸を有する、
請求項１又は請求項２に記載の光コネクタ。
【請求項４】
前記クリップ部材は、第１押さえ部及び第２押さえ部を有し、
前記レセプタクルは、第１円筒状フランジを有し、
前記光ファイバ保持部材は、第２円筒状フランジを有し、
前記第１押さえ部は、前記第１円筒状フランジを前記第２円筒状フランジに向けて押圧する第１凸部を有し、前記第２押さえ部は、前記第２円筒状フランジを前記第１円筒状フランジに向けて押圧する第２凸部を有する、
請求項１から請求項３のいずれか一項に記載の光コネクタ。
【請求項５】
前記レセプタクルの第１円筒状フランジ、及び前記光ファイバ保持部材の第２円筒状フランジは、ステンレス、又はステンレスを含む合金によって構成されている、
請求項１から請求項４のいずれか一項に記載の光コネクタ。
【請求項６】
前記レセプタクルは第１凹部を有し、前記第１凹部には前記クリップ部材の第１押さえ部の第１凸部が入り込む、
請求項４または請求項５に記載の光コネクタ。
【請求項７】
前記光ファイバ保持部材は第２凹部を有し、前記第２凹部には前記クリップ部材の第２押さえ部の第２凸部が入り込む、
請求項４から請求項６のいずれか一項に記載の光コネクタ。
【請求項８】
前記第１凹部は、前記第１円筒状フランジの周方向に沿って延びる溝状とされている、
請求項６に記載の光コネクタ。
【請求項９】
前記第２凹部は、前記第２円筒状フランジの周方向に沿って延びる溝状とされている、
請求項７に記載の光コネクタ。
【請求項１０】
前記クリップ部材は、一対の第１押さえ部と、板状部とを含んでおり、
前記第１押さえ部が前記板状部から延びており、
前記第１押さえ部は、前記板状部から離れるに従って互いに接近するように傾斜している、
請求項４から請求項９のいずれか一項に記載の光コネクタ。
【請求項１１】
前記クリップ部材は、一対の第２押さえ部と、板状部とを含んでおり、
前記第２押さえ部が前記板状部から延びており、
前記第２押さえ部は、前記板状部から離れるに従って互いに接近するように傾斜している、
請求項４から請求項１０のいずれか一項に記載の光コネクタ。
【請求項１２】
前記クリップ部材は、第１押さえ部及び第２押さえ部の間に取手部を有する、
請求項１０又は請求項１１に記載の光コネクタ。
【請求項１３】
前記取手部は、前記クリップ部材の前記第１押さえ部及び前記第２押さえ部の中間に設けられる、
請求項１２に記載の光コネクタ。
【請求項１４】
請求項１から請求項１３のいずれか一項に記載の光コネクタに用いられるレセプタクルと、
前記レセプタクルが取り付けられる窓部を有し光素子を搭載するハウジングと、を備え、
前記ハウジングは底面を有し、前記光素子は前記底面に対して平行又は垂直な偏波面を有する光を出射し、前記第３平坦面は前記底面に対して平行である、
光モジュール。
【請求項１５】
前記ハウジングは、前記ハウジングの前記底面の反対側に位置する天井面を有し、
前記第３平坦面は前記底面と前記天井面の間に位置し、
前記レセプタクルは、前記第１平坦面から前記レセプタクルの第１円筒状フランジに設けられる前記第１平坦面の反対側の端部まで延びる第１長さを有し、前記光ファイバ保持部材は、前記第２平坦面から第２円筒状フランジに設けられる前記第２平坦面の反対側の端部まで延びる第２長さを有し、前記第１長さ及び前記第２長さは前記ハウジングの前記底面から前記天井面までの長さよりも短い、
請求項１４に記載の光モジュール。
【請求項１６】
請求項１に記載の光コネクタの前記クリップ部材として用いられるクリップ部材であって、
一対の第１押さえ部と、
一対の第２押さえ部と、
平坦面を有し、前記一対の第１押さえ部を前記一対の第２押さえ部に連結する板状部と、を備え、
前記第１押さえ部は、前記板状部から外方に延びており、前記第１押さえ部は、前記板状部から離れるに従って互いに接近するように傾斜しており、
前記第２押さえ部は、前記板状部から外方に延びており、前記第２押さえ部は、前記板状部から離れるに従って互いに接近するように傾斜している、
クリップ部材。
【請求項１７】
取手部を有し、
前記取手部は、前記板状部における前記一対の第１押さえ部と前記一対の第２押さえ部との中間に形成されている、
請求項１６に記載のクリップ部材。
【発明の詳細な説明】
【技術分野】
【０００１】
本開示は、光コネクタ、光モジュール及びクリップ部材に関する。
【背景技術】
【０００２】
特開平７−３１８７５５号公報には、光プラグコネクタが記載されており、光プラグコネクタは光ファイバを覆うハウジングを備え、ハウジングには各コネクタの係合のための係合構造が設けられる。
【発明の概要】
【０００３】
機器の筐体の内部に搭載される光コネクタでは、耐湿性及び強靭性は次善の要求となる。耐湿性及び強靭性は機器の筐体によって補償されるためである。また、機器の内部に搭載される光コネクタは、一度筐体の内部に設置された後には係合及び係合解除を繰り返すものではないため係合利便性も次善の要求となる。一方、機器の筐体の内部に搭載される光コネクタでは、構造の簡潔性が要求される。
【０００４】
光トランシーバ等の小型機器では、部品を搭載する空間を確保することが困難となる場合があり、例えば回路基板と筐体の間に光コネクタを配置することが求められる場合もある。そのため、ハウジングを有する光コネクタを部品搭載空間に配置することが難しい場合がある。従って、光コネクタの構造を簡易とすることが求められると共に、狭い空間にも搭載できることが求められている。
【０００５】
本開示は、構造を簡易にすることができると共に、狭い空間に搭載することができる光コネクタ及び光モジュールを提供することを目的とする。
【０００６】
一形態に係る光コネクタは、第１光ファイバを保持し、第１光ファイバの第１光軸に平行な第１平坦面を外面に有する円筒状のレセプタクルと、第１光ファイバと光結合する第２光ファイバを保持し、第２光ファイバの第２光軸に平行な第２平坦面を外面に有する円筒状の光ファイバ保持部材と、第１平坦面と第２平坦面の平行度を確定する第３平坦面を有し、第１光ファイバを第２光ファイバに光学的に結合するためにレセプタクルと光ファイバ保持部材を相互に押圧するクリップ部材と、を備える。
【０００７】
一形態に係る光モジュールは、上記の光コネクタにおいて、レセプタクルが設けられる窓部を有し光素子を搭載するハウジングを更に備え、ハウジングは底面を有し、光素子は底面に対して平行又は垂直な偏波面を有する光を処理し、第３平坦面は底面に対して平行である。
【０００８】
本開示に係る光コネクタ及び光モジュールによれば、構造を簡易にすることができると共に、狭い空間に搭載することができる。
【図面の簡単な説明】
【０００９】
【図１】図１は、第１実施形態に係る光モジュールを示す斜視図である。
【図２】図２は、図１の光モジュールを示す平面図である。
【図３】図３は、図１の光モジュールを示す側面図である。
【図４】図４は、図１の光モジュールのレセプタクルと光ファイバ保持部材を示す斜視図である。
【図５】図５は、光ファイバ保持部材を示す斜視図である。
【図６】図６は、図５の光ファイバ保持部材及び偏波保持ファイバを示す正面図である。
【図７Ａ】図７Ａは、図１の光モジュールのクリップ部材を示す斜視図である。
【図７Ｂ】図７Ｂは、図１の光モジュールのクリップ部材付近を拡大させた側面図である。
【図８】図８は、第２実施形態に係る光モジュールを示す斜視図である。
【図９】図９は、図８の光モジュールを示す平面図である。
【図１０】図１０は、図８の光モジュールのレセプタクル、光ファイバ保持部材及びクリップ部材を示す斜視図である。
【図１１】図１１は、図８の光モジュールを示す側面図である。
【図１２】図１２は、第３実施形態に係る光モジュールのレセプタクル、光ファイバ保持部材及びクリップ部材を示す斜視図である。
【図１３】図１３は、図１２のレセプタクルを示す斜視図である。
【図１４】図１４は、図１２の光ファイバ保持部材を示す斜視図である。
【図１５】図１５は、図１２のレセプタクル、光ファイバ保持部材及びクリップ部材を示す側面図である。
【図１６】図１６は、図１５のレセプタクル又は光ファイバ保持部材の凹部とクリップ部材の凸部とを拡大した図である。
【図１７】図１７は、第４実施形態に係る光モジュールのレセプタクル、光ファイバ保持部材及びクリップ部材を示す斜視図である。
【図１８】図１８は、図１７のレセプタクルを示す斜視図である。
【図１９】図１９は、図１７の光ファイバ保持部材を示す斜視図である。
【図２０】図２０は、第５実施形態に係る光モジュールのレセプタクル、光ファイバ保持部材及びクリップ部材を示す斜視図である。
【図２１】図２１は、図２０のクリップ部材の押さえ部を示す正面図である。
【図２２】図２２は、図２０のクリップ部材の押さえ部を示す正面図である。
【発明を実施するための形態】
【００１０】
［本願開示の実施形態の説明］
最初に、本願開示の実施形態の内容を列記して説明する。一実施形態に係る光コネクタは、第１光ファイバを保持し、第１光ファイバの第１光軸に平行な第１平坦面を外面に有する円筒状のレセプタクルと、第２光ファイバを保持し、第２光ファイバの第２光軸に平行な第２平坦面を外面に有する円筒状の光ファイバ保持部材と、第１光軸を第２光軸に位置合わせするために第１平坦面及び第２平坦面と面接触する第３平坦面を有し、第１光ファイバを第２光ファイバに光学的に結合するためにレセプタクル及び光ファイバ保持部材のそれぞれを押圧するクリップ部材と、を備える。
【００１１】
この光モジュールは、レセプタクルが第１平坦面を有し、光ファイバ保持部材が第２平坦面を有する。クリップ部材は、第１平坦面及び第２平坦面の平行度を確定する第３平坦面を有する。クリップ部材は、第３平坦面によって第１平坦面及び第２平坦面の平行度を確定させた状態で光ファイバ保持部材とレセプタクルとが連結された状態を保持する。従って、クリップ部材で光ファイバ保持部材及びレセプタクルを保持することにより、簡易な構成で光ファイバ保持部材及びレセプタクルを保持することができる。また、第３平坦面が第１平坦面及び第２平坦面の平行度を確定させた状態でレセプタクル及び光ファイバ保持部材が保持されるため、小型のクリップ部材で確実にレセプタクル及び光ファイバ保持部材を保持することができる。更に、第１平坦面及び第２平坦面の平行度を確定させることによってクリップ部材、レセプタクル及び光ファイバ保持部材がハウジングからはみ出ることを抑制することができる。従って、クリップ部材、レセプタクル及び光ファイバ保持部材を確実に光トランシーバの内部に収めることができる。その結果、光トランシーバの内部等、狭い空間にも確実に光モジュールを搭載することができる。
【００１２】
第２光ファイバはＰＭＦ（Polarization  Maintaining  Fiber）であり、第２光ファイバは、第３平坦面に平行なスロー軸又はファスト軸を有してもよい。よって、光ファイバ保持部材が保持する第２光ファイバが偏波保持ファイバであるため、クリップ部材で光ファイバ保持部材とレセプタクルとの連結保持を行うことにより、光ファイバ保持部材から正しい偏波状態で光信号を出力することができる。
【００１３】
第１光ファイバはＰＭＦ（Polarization  Maintaining  Fiber）であり、第１光ファイバは、第３平坦面に平行なスロー軸又はファスト軸を有してもよい。この場合、レセプタクルが保持する第１光ファイバが偏波保持ファイバであるため、レセプタクルに偏波保持ファイバを用いることより、偏波特性を更に向上させることができる。
【００１４】
クリップ部材は、第１押さえ部及び第２押さえ部を有し、レセプタクルは、第１円筒状フランジを有し、光ファイバ保持部材は、第２円筒状フランジを有し、第１押さえ部は、第１円筒状フランジを第２円筒状フランジに向けて押圧する第１凸部を有し、第２押さえ部は、第２円筒状フランジを第１円筒状フランジに向けて押圧する第２凸部を有してもよい。この場合、第１円筒状フランジ及び第２円筒状フランジのそれぞれが第１凸部及び第２凸部に押圧されるので、第１円筒状フランジ及び第２円筒状フランジに対する押圧力を高めることができる。従って、光ファイバ保持部材及びレセプタクルの連結保持をより強固にすることができる。
【００１５】
レセプタクルの第１円筒状フランジ、及び光ファイバ保持部材の第２円筒状フランジは、ステンレス、又はステンレスを含む合金によって構成されていてもよい。ステンレス材は、耐久性が高く、また、高温、高湿等の耐環境性能に優れている。従って、第１円筒状フランジ及び第２円筒状フランジの耐久性及び耐環境性能を高めることができる。
【００１６】
レセプタクルは第１凹部を有し、第１凹部にはクリップ部材の第１押さえ部の第１凸部が入り込んでもよい。この場合、第１押さえ部の凸部によってレセプタクルが押圧されるので、レセプタクル及び光ファイバ保持部材の連結保持を強力に行うことができる。また、レセプタクルが第１凹部を有することにより、第１凹部に凸部が入り込むので、第１押さえ部がレセプタクルから外れる可能性をより低減させることができる。すなわち、振動等を受けた場合であっても、凸部が第１凹部の内面に当接し、レセプタクルから第１押さえ部を抜けにくくすることができる。
【００１７】
光ファイバ保持部材は第２凹部を有し、第２凹部にはクリップ部材の第２押さえ部の第２凸部が入り込んでもよい。この場合、第２押さえ部の凸部によって光ファイバ保持部材が押圧されるので、光ファイバ保持部材及びレセプタクルの連結保持を強力に行うことができる。具体的には、光ファイバ保持部材が第２凹部を有することにより、第２凹部に凸部が入り込むので、第２押さえ部が光ファイバ保持部材から外れる可能性をより低減させることができる。すなわち、振動等を受けた場合であっても、凸部が第２凹部の内面に当接し、光ファイバ保持部材から第２押さえ部を抜けにくくすることができる。
【００１８】
第１凹部は、第１円筒状フランジの周方向に沿って延びる溝状とされていてもよい。更に、第２凹部は、第２円筒状フランジの周方向に沿って延びる溝状とされていてもよい。この場合、第１凹部又は第２凹部が各円筒状フランジの周方向に沿って延びる溝状とされているので、各凹部を円筒状フランジの円周に沿って切り欠かれた形状とすることができる。従って、第１凹部又は第２凹部の加工コストを低減させることができる。
【００１９】
クリップ部材は、一対の第１押さえ部と、板状部とを含んでおり、第１押さえ部が板状部から延びており、第１押さえ部は、板状部から離れるに従って互いに接近するように傾斜していてもよい。この場合、各第１押さえ部とレセプタクルとの接触部は、レセプタクルの中心点よりも下側に位置することになり、第１押さえ部の押付力が上側に向かうにように働く。その結果、レセプタクルは第１押さえ部に対して上側に押し付けられるので、クリップ部材からレセプタクルを外れにくくすることができる。
【００２０】
クリップ部材は、一対の第２押さえ部と、板状部とを含んでおり、第２押さえ部が板状部から延びており、第２押さえ部は、板状部から離れるに従って互いに接近するように傾斜していてもよい。この場合、前述と同様、各第２押さえ部と光ファイバ保持部材との接触部は、光ファイバ保持部材の中心点よりも下側に位置することになり、第２押さえ部の押付力が上側に向かうように働く。従って、光ファイバ保持部材は第２押さえ部に対して上側に押し付けられるので、クリップ部材から光ファイバ保持部材を外れにくくすることができる。
【００２１】
一実施形態に係る光モジュールは、前述した光コネクタに用いられるレセンプタクルと、レセプタクルが取り付けられる窓部を有し光素子を搭載するハウジングと、を備え、ハウジングは底面を有し、光素子は底面に対して平行又は垂直な偏波面を有する光を出射し、第３平坦面は底面に対して平行である。
【００２２】
光モジュールにおいて、ハウジングは、ハウジングの底面に対向する天井面を有し、第３平坦面は底面と天井面の間に位置し、レセプタクルは、第１平坦面からレセプタクルの第１円筒状フランジに設けられる第１平坦面の反対側の端部まで延びる第１長さを有し、光ファイバ保持部材は、第２平坦面から第２円筒状フランジに設けられる第２平坦面の反対側の端部まで延びる第２長さを有し、第１長さ及び第２長さはハウジングの底面から天面までの長さよりも短くてもよい。この場合、クリップ部材、光ファイバ保持部材及びレセプタクルをよりコンパクトにすることができるので、光トランシーバの内部空間等、狭い空間への搭載を一層確実に行うことができる。クリップ部材は、一対の第１押さえ部と、一対の第２押さえ部と、平坦面を有し、一対の第１押さえ部と一対の第２押さえ部とを互いに連結する板状部と、を備える。第１押さえ部は、板状部から外方に延びており、第１押さえ部は、板状部から離れるに従って互いに接近するように傾斜している。第２押さえ部は、板状部から外方に延びており、第２押さえ部は、板状部から離れるに従って互いに接近するように傾斜している。クリップ部材は、第１押さえ部及び第２押さえ部の間に取手部を有していてもよい。取手部は、クリップ部材の第１押さえ部及び第２押さえ部の中間に設けられていてもよい。
【００２３】
［本願開示の実施形態の詳細］
本願開示の光コネクタ及び光モジュールの具体例を以下で図面を参照しながら説明する。なお、本発明は、下記の例示に限定されるものではなく、特許請求の範囲に示され、特許請求の範囲と均等の範囲内における全ての変更が含まれることが意図される。図面の説明において、同一又は相当する要素には同一の符号を付し、重複する説明を適宜省略する。また、図面は、理解を容易にするため、一部を簡略化又は誇張して描いている場合があり、寸法比率等は図面に記載のものに限定されない。
【００２４】
（第１実施形態）
図１は、第１実施形態に係る光コネクタを備えた光モジュール１を示す斜視図である。図２は、光モジュール１を示す平面図である。なお、各図では、理解の容易のため、ＸＹＺ直交座標系が示されている。例えば、光モジュール１は、光トランシーバの内部に搭載されるコヒーレント用光源モジュール、すなわち、波長可変光源（Wavelength Tunable laser）である。
【００２５】
光モジュール１は、直方体状のハウジング２と、ハウジング２に固定される光ファイバ導入部３とを備える。ハウジング２は４つの側壁を有する。ハウジング２の４つの側壁のうち、窓部を有する側壁２ａには、Ｚ方向に延びる中心軸を有する筒状の光ファイバ導入部３とレセプタクル５が設けられる。光ファイバ導入部３は、側壁２ａからハウジング２の外側に突出する。光ファイバ導入部３は、例えば、Ｚ方向に延びる円筒状とされている。
【００２６】
ハウジング２の側壁２ａを除く少なくとも１つの側壁には、複数の端子４が設けられる。複数の端子４は、例えば、ハウジング２の各側壁を構成する多層セラミック層（multi-layered ceramics）から引き出される。複数の端子４には、半導体レーザ（ＬＤ）からの発振波長を制御するための端子、温度制御のための端子、及び光出力モニタのための端子等が含まれる。
【００２７】
図３は、ハウジング２及び光ファイバ導入部３を含む光モジュール１の側面図である。光モジュール１は、光ファイバ導入部３に設けられるレセプタクル５と、レセプタクル５に連結されるプラグ６（光ファイバ保持部材）と、レセプタクル５及びプラグ６が連結された状態を保持するクリップ部材１０とを備える。本実施形態に係る光コネクタはレセプタクル５とプラグ６とクリップ部材１０とを備える。図３に示されるように、レセプタクル５、プラグ６及びクリップ部材１０の厚さＨ１（Ｙ方向への高さ）は、ハウジング２の厚さＨ２よりも抑えられており低背化が実現されている。
【００２８】
図４は、レセプタクル５及びプラグ６を示す斜視図である。図４に示されるように、レセプタクル５は、光ファイバＦ１（第１光ファイバ）を保持するスタブ５ａと、スタブ５ａを収容すると共にフランジ５ｃ（第１円筒状フランジ）を有する金属製のホルダと、スタブ５ａに取り付けられた円筒状のスリーブ５ｂとを備える。また、フランジ５ｃを有する金属製のホルダには円筒部５ｄが設けられる。なお、図４では、図示を分かりやすくするため、スリーブ５ｂの内部に収容されたスタブ５ａ等を実線で示している。光ファイバＦ１は、例えば、偏波保持ファイバ（Polarization Maintaining Fiber：ＰＭＦ）である。スリーブ５ｂは、例えば、円筒状とされており、端面からスリーブ５ｂの軸線方向に延びるスリット５ｇを有する割スリーブである。
【００２９】
フランジ５ｃは、スリーブ５ｂ及び円筒部５ｄに対して拡径されている。フランジ５ｃは、例えばステンレス製である。フランジ５ｃの外面は、Ｙ方向に向けられる一対の平坦面５ｅと、一対の平坦面５ｅの間において円弧状に湾曲する一対の湾曲面５ｆとを含む。平坦面５ｅは、円形状に拡径するフランジ５ｃを切り欠いた平坦状とされている。すなわち、各平坦面５ｅは例えばフランジ５ｃがＤカットされた面である。平坦面５ｅがＹ方向に沿って一対に設けられることにより、Ｙ方向へのレセプタクル５の高さを抑えることが可能となる。
【００３０】
図５は、プラグ６を図４とは異なる方向から示す斜視図である。図４及び図５に示されるように、プラグ６は、光ファイバＦ２（第２光ファイバ）を保持するスタブ６ａと、スタブ６ａから拡径されたフランジ６ｂ（第２円筒状フランジ）とを備える。フランジ６ｂは円筒部６ｃを備える。フランジ６ｂは、例えば、ステンレス製である。円筒部６ｃの直径は、例えば、円筒部５ｄの直径と同程度である。光ファイバＦ２は、円筒部６ｃからプラグ６の外方に延び出している。
【００３１】
図６は、光ファイバＦ２、及び光ファイバＦ２を保持するスタブ６ａを示す正面図である。図４、図５及び図６に示されるように、光ファイバＦ２は、例えば、偏波保持ファイバである。プラグ６は、スタブ６ａがレセプタクル５のスリーブ５ｂに挿入されて光ファイバＦ２と光ファイバＦ１とが互いに接続することによってレセプタクル５と光結合する。
【００３２】
フランジ６ｂは、スタブ６ａ及び円筒部６ｃに対して拡径されている。フランジ６ｂの外面は、Ｙ方向に向けられる一対の平坦面６ｄと、一対の平坦面６ｄの間において円弧状に湾曲する一対の湾曲面６ｅとを含む。平坦面６ｄは、円形状に拡径するフランジ６ｂをＤカットして得られた平坦状とされている。平坦面６ｄがＹ方向に沿って一対に設けられることにより、Ｙ方向へのプラグ６の高さを抑えることが可能となる。例えば、フランジ６ｂの一対の平坦面６ｄの間の距離（プラグ６のＹ方向の高さ）は、フランジ５ｃの一対の平坦面５ｅの間の距離（レセプタクル５のＹ方向の高さ）と略同一である。
【００３３】
図７Ａは、クリップ部材１０を示す斜視図である。図７Ｂは、クリップ部材１０の付近の構成を拡大させた側面図である。図７Ａ及び図７Ｂに示されるように、クリップ部材１０は、レセプタクル５の平坦面５ｅ及びプラグ６の平坦面６ｄに接触する平坦状の接触面１１ａ（第３平坦面）を有する板状部１１と、板状部１１から板状部１１の面外方向に延びる押さえ部１２と、複数の押さえ部１２の間において板状部１１から板状部１１の面外方向に突出する突出部１３とを備える。
【００３４】
板状部１１は、例えば、平板状とされている。板状部１１は、前述した接触面１１ａと、接触面１１ａの反対側を向く外面１１ｂとを有する。クリップ部材１０は、接触面１１ａが平坦面５ｅ及び平坦面６ｄに面接触した状態でレセプタクル５及びプラグ６を保持する。すなわち、接触面１１ａは平坦面５ｅ及び平坦面６ｄの平行度を確定する。クリップ部材１０は、接触面１１ａが平坦面５ｅ及び平坦面６ｄに面接触することにより、レセプタクル５とプラグ６の光ファイバＦ１及び光ファイバＦ２を中心とする回転角度を整合する。外面１１ｂは、接触面１１ａと同様、平坦状とされている。板状部１１は、例えば、Ｚ方向及びＸ方向に延びる長方形状とされており、Ｚ方向に延びる一対の長辺１１ｃと、Ｘ方向に延びる一対の短辺１１ｄとを有する。長辺１１ｃのＺ方向の両端のそれぞれからは、Ｙ方向に折り曲げられた押さえ部１２が設けられる。なお、平坦面５ｅ及び平坦面６ｄは、面接触していなくてもよい。すなわち、レセプタクル５とプラグ６の光ファイバＦ１及び光ファイバＦ２を中心とする回転角度が整合されていればよく、平坦面５ｅ及び平坦面６ｄの平行度が確定されていればよい。なお、この平行度について、回転角度のずれは、±５°の範囲に入っていればよく、例えば、平坦面５ｅ及び平坦面６ｄと接触面１１ａとの距離がそれぞれ１０μｍ以下であれば、平行度を保つことができる。
【００３５】
クリップ部材１０は、複数の押さえ部１２を備えており、複数の押さえ部１２のそれぞれは例えば板状部１１の四隅に設けられる。Ｘ方向に沿って並ぶ一対の押さえ部１２の距離Ｄ３は、例えば、円筒部５ｄの外径、及び円筒部６ｃの外径と同程度である。押さえ部１２は、板状部１１から湾曲する湾曲面１２ａと、湾曲面１２ａからＹ方向に延びる板状部１２ｂとを備える。板状部１２ｂは、例えば、平板状とされている。板状部１２ｂは、クリップ部材１０のＺ方向の内側に突出する凸部１２ｃを有する。また、クリップ部材１０は、ステンレスを含む材料、又は銅を含む材料によって構成されている。ステンレスを含む材料、及び銅を含む材料は、共に、剛性が高いため、薄板で高いバネ力が実現可能である。なお、クリップ部材１０は、樹脂からなる材料であっても良い。樹脂からなる材料は、高いバネ力が実現可能である。
【００３６】
凸部１２ｃは、例えば、板状部１２ｂにおいてＶ字状に突出している。但し、凸部１２ｃの形状は適宜変更可能である。凸部１２ｃはレセプタクル５のフランジ５ｃ、又はプラグ６のフランジ６ｂに当接する部位である。複数の凸部１２ｃのそれぞれは、フランジ５ｃ及びフランジ６ｂのそれぞれを互いに連結する連結方向（レセプタクル５とプラグ６が互いに接近する方向、クリップ部材１０のＺ軸の中央側）に押圧する。クリップ部材１０により、レセプタクル５とプラグ６は相互に押圧される。従って、押さえ部１２が凸部１２ｃを有し、クリップ部材１０がレセプタクル５とプラグ６を相互に押圧することによってレセプタクル５とプラグ６の強固な接続が実現される。また、押さえ部１２は、レセプタクル５をプラグ６に向けて押圧する第１押さえ部１２Ａと、プラグ６をレセプタクル５に向けて押圧する第２押さえ部１２Ｂとを含んでいる。互いに対向する２つの押さえ部１２の凸部１２ｃの間の距離は、距離Ｄ４として示される。
【００３７】
長辺１１ｃのＺ方向の中央のそれぞれからはＹ方向に折り曲げられた突出部１３が設けられる。クリップ部材１０はＸ方向に沿って配置された一対の突出部１３を備えており、各突出部１３はＺ方向に沿って並ぶ一対の押さえ部１２の間に設けられる。突出部１３は、板状部１１から湾曲する湾曲部１３ａと、湾曲部１３ａからＹ方向に延びる板状部１３ｂとを備える。一対の板状部１３ｂの間にはレセプタクル５のスリーブ５ｂが介在する。レセプタクル５とプラグ６との間にクリップ部材１０が挿入されたときに、突出部１３の存在により、スリーブ５ｂはフランジ６ｂに接しない。
【００３８】
以下では、本実施形態に係る光コネクタ及び光モジュール１から得られる作用効果について詳細に説明する。本実施形態に係る光コネクタは、レセプタクル５が平坦面５ｅを有し、光ファイバ保持部材であるプラグ６が平坦面６ｄを有する。クリップ部材１０は、平坦面５ｅ及び平坦面６ｄに接触する接触面１１ａを有する。クリップ部材１０は、接触面１１ａによって平坦面５ｅ及び平坦面６ｄの平行度を確定させた状態でプラグ６とレセプタクル５とが連結された状態を保持する第１押さえ部１２Ａ及び第２押さえ部１２Ｂを有する。第１押さえ部１２Ａはレセプタクル５をプラグ６に向けて押圧し、第２押さえ部１２Ｂはプラグ６をレセプタクル５に向けて押圧する。従って、クリップ部材１０の第１押さえ部１２Ａ及び第２押さえ部１２Ｂでプラグ６及びレセプタクル５を保持することにより、簡易な構成でプラグ６及びレセプタクル５を保持することができる。
【００３９】
接触面１１ａが平坦面５ｅ及び平坦面６ｄの平行度を確定させた状態で第１押さえ部１２Ａ及び第２押さえ部１２Ｂのそれぞれがレセプタクル５及びプラグ６のそれぞれを押圧するため、小型のクリップ部材１０で確実にレセプタクル５及びプラグ６を保持することができる。更に、平坦面５ｅ及び平坦面６ｄの平行度を確定させることによってクリップ部材１０、レセプタクル５及びプラグ６がハウジング２からはみ出すことを抑制することができる。従って、クリップ部材１０、レセプタクル５及びプラグ６を確実に光トランシーバの内部に収めることができる。その結果、光トランシーバの内部等、狭い空間にも確実に光モジュール１を搭載することができる。
【００４０】
プラグ６が保持する光ファイバＦ２はＰＭＦであり、光ファイバＦ２は、接触面１１ａに平行なスロー軸又はファスト軸を有する。よって、プラグ６が保持する光ファイバＦ２が偏波保持ファイバであるため、クリップ部材１０でプラグ６とレセプタクル５との連結保持を行うことにより、プラグ６から正しい偏波状態で光信号を出力することができる。
【００４１】
レセプタクル５が保持する光ファイバＦ１はＰＭＦであり、光ファイバＦ１は、接触面１１ａに平行なスロー軸又はファスト軸を有する。この場合、レセプタクル５が保持する光ファイバＦ１が偏波保持ファイバであるため、レセプタクル５に偏波保持ファイバを用いることより、偏波特性を更に向上させることができる。また、クリップ部材１０の装着（挿入）により、平坦面５ｅ及び平坦面６ｄへのクリップ部材１０の接触面１１ａの面接触を行うことによって、レセプタクル５及びプラグ６のそれぞれのスタブ同士を接続する際の僅かな回転方向への位置ずれを補正することができ、偏波保持ファイバの偏波方向を一致させることができる。このように、平坦面５ｅ及び平坦面６ｄにクリップ部材１０の接触面１１ａを面接触させることによって、平坦面５ｅ及び平坦面６ｄの面を倣わせることができる。
【００４２】
クリップ部材１０は、プラグ６とレセプタクル５とが連結する連結方向に沿って互いに対向する２つの押さえ部１２を有し、各押さえ部１２は、当該連結方向にフランジ５ｃ及びフランジ６ｂのそれぞれを押圧する。よって、各押さえ部１２が当該連結方向に沿ってレセプタクル５とプラグ６を押圧するので、レセプタクル５とプラグ６との連結をより強力にすることができる。
【００４３】
押さえ部１２は、フランジ５ｃ及びフランジ６ｂのいずれかを押圧する凸部１２ｃを有する。よって、フランジ５ｃ及びフランジ６ｂのそれぞれが凸部１２ｃに押圧されるので、フランジ５ｃ及びフランジ６ｂに対する押圧力を更に高めることができる。従って、プラグ６及びレセプタクル５の連結保持を更に強力に行うことができる。
【００４４】
図７Ｂは、図３のクリップ部材１０とプラグ６とレセプタクル５とが連結する連結部を示す図である。押さえ部１２のそれぞれと接触するフランジ５ｃ及びフランジ６ｂの接触面の間の距離は、距離Ｄ５として示される。クリップ部材１０をフランジ５ｃ及びフランジ６ｂに装着する前の状態において、互いに対向する２つの押さえ部１２の距離Ｄ４は、押さえ部１２のそれぞれと接触するフランジ５ｃ及びフランジ６ｂの接触面の距離Ｄ５よりも小さい。従って、一対の押さえ部１２の間に入り込んだレセプタクル５及びプラグ６において、一対の押さえ部１２がフランジ５ｃ及びフランジ６ｂを押圧する。よって、フランジ５ｃ及びフランジ６ｂのそれぞれが押さえ部１２に押圧されるので、フランジ５ｃ及びフランジ６ｂに対する押圧力を更に高めることができる。
【００４５】
図１に示されるように、クリップ部材１０は、プラグ６とレセプタクル５とが連結する連結方向（Ｚ方向）、及び連結方向に交差する交差方向（Ｘ方向）に互いに対向する複数の押さえ部１２を有し、複数の押さえ部１２のそれぞれは、フランジ５ｃのＸ方向に対向する一対の部分と、フランジ６ｂのＸ方向に対向する一対の部分とのそれぞれを押圧する。よって、Ｚ方向及びＸ方向の双方からフランジ５ｃ及びフランジ６ｂを押圧することができるので、フランジ５ｃ及びフランジ６ｂに対する押圧力を更に高めることができる。従って、プラグ６及びレセプタクル５の連結保持を更に強力に行うことができる。
【００４６】
フランジ５ｃ及びフランジ６ｂは、ステンレスを含む材料によって構成されている。ステンレス材は、耐久性が高く、また、高温、高湿等の耐環境性能に優れている。従って、フランジ５ｃ及びフランジ６ｂの耐久性及び耐環境性能を高めることができる。
【００４７】
本実施形態に係る光モジュール１は、前述した光コネクタにおいて、レセプタクル５が設けられる窓部を有し光素子を搭載するハウジング２を更に備え、ハウジング２は底面２ｂを有し、光素子は底面２ｂに対して平行又は垂直な偏波面を有する光を処理し、接触面１１ａは底面２ｂに対して平行である。また、光モジュール１において、ハウジング２は、ハウジング２の底面２ｂに対向する天井面２ｃを有し、接触面１１ａは底面２ｂと天井面２ｃとの間に位置し、レセプタクル５のフランジ５ｃにおける平坦面５ｅから当該平坦面５ｅと反対の縁までの長さ（例えば一対の平坦面５ｅ間の距離）、及び、プラグ６のフランジ６ｂにおける平坦面６ｄから当該平坦面６ｄと反対の縁までの長さ（例えば一対の平坦面６ｄ間の距離）はそれぞれ、ハウジング２の底面２ｂから天井面２ｃまでの長さよりも短い。従って、クリップ部材１０、プラグ６及びレセプタクル５をよりコンパクトにすることができるので、光トランシーバの内部空間等、狭い空間への搭載を一層確実に行うことができる。
【００４８】
（第２実施形態）
次に、第２実施形態に係る光モジュール２１について図８〜図１１を参照しながら説明する。図８は、光モジュール２１を示す斜視図である。図９は、光モジュール２１を示す平面図である。図８及び図９に示されるように、光モジュール２１は、前述と同様のハウジング２、光ファイバ導入部３、端子４、レセプタクル５及びプラグ６を備える。光モジュール２１は、更に前述したクリップ部材１０とは異なるクリップ部材３０を備えており、この点が第１実施形態と相違する。以下では、第１実施形態と重複する説明を適宜省略する。
【００４９】
図１０は、クリップ部材３０、レセプタクル５及びプラグ６を示す斜視図である。図１０に示されるように、クリップ部材３０は、レセプタクル５の平坦面５ｅ及びプラグ６の平坦面６ｄに接触する平坦状の接触面３１ａを有する第１板状部３１と、第１板状部３１からＸ方向に突出する突出部３２と、各突出部３２の第１板状部３１との反対側においてＹ方向及びＺ方向に延在する第２板状部３３と、各第２板状部３３のＺ方向の端部のそれぞれに設けられた押さえ部３４とを備える。
【００５０】
図１１は、クリップ部材３０、レセプタクル５及びプラグ６を示す側面図である。図１０及び図１１に示されるように、第１板状部３１は、前述した接触面３１ａと、接触面３１ａの反対側を向く外面３１ｂとを有し、例えば、接触面３１ａ及び外面３１ｂは共に平坦状とされている。第１板状部３１は、Ｚ方向に延びる一対の長辺３１ｃと、Ｘ方向に延びる一対の短辺３１ｄとを有する。各長辺３１ｃのＺ方向の中央部分から突出部３２がＸ方向に突出している。
【００５１】
各突出部３２は、第１板状部３１からＸ方向の外側に延びる平坦部３２ａと、平坦部３２ａの第１板状部３１との反対側においてＹ方向に湾曲する湾曲部３２ｂとを有する。第２板状部３３は、湾曲部３２ｂのＹ方向の端部から平板状に延在しており、第２板状部３３の形状は、矩形枠状とされている。第２板状部３３は、Ｘ方向に第２板状部３３を貫通する貫通孔３３ａを有し、貫通孔３３ａはＺ方向及びＹ方向に延びる長方形状とされている。
【００５２】
押さえ部３４は、各第２板状部３３のＺ方向の端部のそれぞれに設けられる。各押さえ部３４は、第２板状部３３のＺ方向の端部からクリップ部材３０のＸ方向の内側に湾曲する湾曲部３４ａと、湾曲部３４ａの第２板状部３３との反対側においてクリップ部材３０の内側に向かって突出する平板部３４ｂとを有する。各平板部３４ｂは、クリップ部材３０のＸ方向及びＺ方向の内側に（ＺＸ平面におけるクリップ部材３０の中心に向かって）斜めに延びている。各平板部３４ｂの湾曲部３４ａとの反対側の端部にはＸ方向及びＺ方向の内側に斜めに突出する凸部３４ｃが設けられる。
【００５３】
凸部３４ｃは、例えば、前述した凸部１２ｃと同様、Ｖ字状に突出する。但し、凸部３４ｃの形状は適宜変更可能である。図８及び図９に示されるように、押さえ部３４の凸部３４ｃは、フランジ５ｃと円筒部５ｄとの間、又はフランジ６ｂと円筒部６ｃとの間のそれぞれに突出する部位である。各凸部３４ｃはフランジ５ｃ及びフランジ６ｂのそれぞれを互いに連結する連結方向に押圧する。従って、押さえ部３４が凸部３４ｃを有することによってレセプタクル５とプラグ６の強固な接続が実現される。
【００５４】
第２実施形態に係る光モジュール２１では、クリップ部材３０が、平坦面５ｅ及び平坦面６ｄの平行度を確定する接触面３１ａを有し、接触面３１ａが平坦面５ｅ及び平坦面６ｄの平行度を確定した状態でプラグ６とレセプタクル５とが連結された状態を保持する。また、クリップ部材３０の押さえ部３４でプラグ６及びレセプタクル５を連結方向に保持することにより、簡易な構成でプラグ６及びレセプタクル５を保持することができる。その結果、光モジュール２１からは、第１実施形態に係る光モジュール１と同様の作用効果が得られる。
【００５５】
（第３実施形態）
続いて、第３実施形態に係る光モジュールについて図１２〜図１６を参照しながら説明する。図１２は、第３実施形態に係る光モジュールのレセプタクル４５、プラグ４６（光ファイバ保持部材）及びクリップ部材１０を示す斜視図である。図１３は、レセプタクル４５を示す斜視図である。
【００５６】
図１２及び図１３に示されるように、レセプタクル４５は、スリーブ５ｂに対して拡径されたフランジ４５ｃを有する。フランジ４５ｃの外面は、Ｙ方向に向けられる一対の平坦面５ｅと、一対の平坦面５ｅの間において円弧状に湾曲する一対の湾曲面５ｆと、クリップ部材１０の第１押さえ部１２Ａが対向する対向面４５ａとを含む。対向面４５ａには、第１押さえ部１２Ａの凸部１２ｃが入り込む第１凹部４５ｂが形成されている。対向面４５ａは、例えば、平坦状とされており、Ｚ方向に向けられる。第１凹部４５ｂは、例えば、対向面４５ａのＸ方向の両端のそれぞれに一対に形成されている。一対の第１凹部４５ｂは、対向面４５ａのＸ方向の両端のそれぞれにおいてＺ方向に窪んでおり、各第１凹部４５ｂの形状は、一例として、Ｙ方向に延びる矩形状とされている。
【００５７】
図１４は、プラグ４６を示す斜視図である。図１２及び図１４に示されるように、プラグ４６は、光ファイバＦ２を保持するスタブ６ａ及び円筒部６ｃから拡径されたフランジ４６ｂを有する。フランジ４６ｂの外面は、Ｙ方向に向けられる一対の平坦面６ｄと、一対の平坦面６ｄの間において円弧状に湾曲する一対の湾曲面６ｅと、クリップ部材１０の第２押さえ部１２Ｂが対向する対向面４６ａとを含んでおり、対向面４６ａには、第２押さえ部１２Ｂの凸部１２ｃが入り込む第２凹部４６ｃが形成されている。
【００５８】
例えば、対向面４６ａ及び第２凹部４６ｃの形状及び大きさの少なくともいずれかは、対向面４５ａ及び第１凹部４５ｂの形状及び大きさの少なくともいずれかと同一であってもよい。すなわち、対向面４６ａは、例えばＺ方向に向けられると共に平坦状とされており、第２凹部４６ｃは対向面４６ａのＸ方向の両端のそれぞれにおいて一対に形成されていてもよい。一対の第２凹部４６ｃは、対向面４６ａからＺ方向に窪んでいてもよく、各第２凹部４６ｃの形状はＹ方向に延びる矩形状とされていてもよい。
【００５９】
以上、第３実施形態に係る光モジュールにおいて、レセプタクル４５は第１押さえ部１２Ａの凸部１２ｃが入り込む第１凹部４５ｂを有し、プラグ４６は第２押さえ部１２Ｂの凸部１２ｃが入り込む第２凹部４６ｃを有する。従って、凸部１２ｃによってレセプタクル４５及びプラグ４６のそれぞれが押圧されるので、プラグ４６及びレセプタクル４５の連結保持を強力に行うことができる。
【００６０】
図１５は、レセプタクル４５、プラグ４６及びクリップ部材１０を示す側面図である。図１６は、図１５の第１押さえ部１２Ａ（第２押さえ部１２Ｂ）の凸部１２ｃと第１凹部４５ｂ（第２凹部４６ｃ）とを拡大した図である。レセプタクル４５が第１凹部４５ｂを有し、プラグ４６が第２凹部４６ｃを有することにより、第１凹部４５ｂ及び第２凹部４６ｃのそれぞれに凸部１２ｃが入り込むので、第１押さえ部１２Ａ及び第２押さえ部１２Ｂがレセプタクル４５及びプラグ４６のそれぞれから外れる可能性をより低減させることができる。すなわち、振動等を受けた場合であっても、各凸部１２ｃが第１凹部４５ｂの内面及び第２凹部４６ｃの内面のそれぞれに当接し、レセプタクル４５及びプラグ４６のそれぞれから第１押さえ部１２Ａ及び第２押さえ部１２Ｂを抜けにくくすることができる。
【００６１】
具体的には、光モジュールが搭載される光トランシーバにおいては、各部品の結合嵌合状態が振動試験及び衝撃試験等においても保持されることが求められ、例えば、振動衝撃時に光出力変動がない（一例として０．５ｄＢ以上の変動がない）ことが求められる場合がある。第３実施形態に係る光モジュールでは、上記のような振動試験及び衝撃試験等においても、第１押さえ部１２Ａ及び第２押さえ部１２Ｂをレセプタクル４５及びプラグ４６のそれぞれから外れにくくすることができるので、振動試験及び衝撃試験等においてクリップ部材１０の嵌合を保持することができる。なお、第３実施形態では、レセプタクル４５が第１凹部４５ｂを有し、プラグ４６が第２凹部４６ｃを有する例について説明した。しかしながら、レセプタクルのみが第１凹部を有していてもよい（プラグが第２凹部を有しなくてもよい）し、プラグのみが第２凹部を有していてもよい（レセプタクルが第１凹部を有しなくてもよい）。
【００６２】
（第４実施形態）
次に、第４実施形態に係る光モジュールについて図１７〜図１９を参照しながら説明する。図１７は、第４実施形態に係る光モジュールのレセプタクル５５、プラグ５６（光ファイバ保持部材）及びクリップ部材１０を示す斜視図である。図１８は、レセプタクル５５を示す斜視図である。
【００６３】
図１７及び図１８に示されるように、レセプタクル５５は、スリーブ５ｂ及び円筒部５ｄに対して拡径されたフランジ５５ｃを有する。フランジ５５ｃの外面は、Ｙ方向に向けられる一対の平坦面５ｅと、一対の平坦面５ｅの間において円弧状に湾曲する一対の湾曲面５ｆと、クリップ部材１０の第１押さえ部１２Ａが対向する凸部５５ａとを含む。凸部５５ａはＺ方向に向けられており、凸部５５ａのＸ方向の内側には第１押さえ部１２Ａの凸部１２ｃが入り込む第１凹部５５ｂが形成されている。
【００６４】
第１凹部５５ｂは、例えば、凸部５５ａのＸ方向の内側のそれぞれに一対に形成されている。一対の第１凹部５５ｂは、凸部５５ａのＸ方向の内側のそれぞれにおいてＺ方向に窪んでいる。第１凹部５５ｂは、凸部５５ａの内周と円筒部５ｄの外周との間に形成されており、例えば、フランジ５５ｃの周方向に沿って延びる溝状とされている。第１凹部５５ｂは、例えば、円弧状とされている。
【００６５】
図１９は、プラグ５６を示す斜視図である。図１７及び図１９に示されるように、プラグ５６はフランジ５６ｂを有する。フランジ５６ｂの外面は、Ｙ方向に向けられる一対の平坦面６ｄと、一対の平坦面６ｄの間において円弧状に湾曲する一対の湾曲面６ｅと、クリップ部材１０の第２押さえ部１２Ｂが対向する凸部５６ａとを含んでいる。凸部５６ａのＸ方向の内側には、第２押さえ部１２Ｂの凸部１２ｃが入り込む第２凹部５６ｃが形成されている。例えば、凸部５６ａ及び第２凹部５６ｃの形状及び大きさは、凸部５５ａ及び第１凹部５５ｂの形状及び大きさと同一であってもよい。すなわち、第２凹部５６ｃは、フランジ５６ｂの周方向に沿って延びる溝状とされていてもよいし、円弧状とされていてもよい。
【００６６】
以上、第４実施形態に係る光モジュールにおいて、レセプタクル５５は第１押さえ部１２Ａの凸部１２ｃが入り込む第１凹部５５ｂを有し、プラグ５６は第２押さえ部１２Ｂの凸部１２ｃが入り込む第２凹部５６ｃを有するので、第３実施形態と同様の効果が得られる。すなわち、第１凹部５５ｂ及び第２凹部５６ｃのそれぞれに凸部１２ｃが入り込むので、第１押さえ部１２Ａ及び第２押さえ部１２Ｂがレセプタクル５５及びプラグ５６のそれぞれから外れる可能性を抑えて、第１押さえ部１２Ａ及び第２押さえ部１２Ｂを抜けにくくすることができる。
【００６７】
更に、第４実施形態では、第１凹部５５ｂがフランジ５５ｃの円周に沿って切り欠かれた形状とされているので、第１凹部５５ｂの加工コストを低減できるという効果が得られる。そして、第１凹部５５ｂの外側に凸部５６ａが設けられるので、凸部５６ａがクリップ部材１０の挿入時のガイドとなり、挿入性を向上させることができる。更に、外側に凸部５６ａが設けられることにより、一対の第１押さえ部１２Ａが開くことを抑制することができる。フランジ５６ｂの第２凹部５６ｃについても同様である。なお、第４実施形態では、レセプタクル５５が第１凹部５５ｂを有し、プラグ５６が第２凹部５６ｃを有する例について説明した。しかしながら、レセプタクルのみが第１凹部を有していてもよい（プラグが第２凹部を有しなくてもよい）し、プラグのみが第２凹部を有していてもよい（レセプタクルが第１凹部を有しなくてもよい）。
【００６８】
（第５実施形態）
続いて、第５実施形態に係る光モジュールについて図２０〜図２２を参照しながら説明する。図２０は、レセプタクル５、プラグ６及びクリップ部材６０を示す斜視図である。図２０に示されるように、クリップ部材６０は、前述したクリップ部材１０と同様、レセプタクル５の平坦面５ｅ及びプラグ６の平坦面６ｄに接触する接触面１１ａを有する板状部１１と、板状部１１から板状部１１の面外方向に延びる第１押さえ部６２Ａ及び第２押さえ部６２Ｂと、第１押さえ部６２Ａ及び第２押さえ部６２Ｂの間において板状部１１から板状部１１の面外方向に突出する突出部１３とを備える。
【００６９】
図２１及び図２２は、第１押さえ部６２Ａ（第２押さえ部６２Ｂ）をＺ方向から見た正面図である。第１押さえ部６２Ａ及び第２押さえ部６２Ｂは、共に、Ｘ方向に沿って一対に設けられる。例えば、第１押さえ部６２Ａの構成と第２押さえ部６２Ｂの構成とは互いに同一である。よって、以下では第２押さえ部６２Ｂの説明を適宜省略する。図２１及び図２２に示されるように、一対の第１押さえ部６２Ａのそれぞれは、板状部１１から湾曲する湾曲部６２ａと、湾曲部６２ａからＹ方向に延びる板状部６２ｂとを備える。各板状部６２ｂは、湾曲部６２ａに連続する根元部６２ｃと、根元部６２ｃから湾曲部６２ａの反対側に延びる中央部６２ｄと、中央部６２ｄから延びると共に板状部６２ｂの先端を含む先端部６２ｅとをそれぞれ有する。
【００７０】
根元部６２ｃ、中央部６２ｄ及び先端部６２ｅは、Ｘ方向に沿ってそれぞれ一対に設けられる。一対の根元部６２ｃの間隔をＡ、一対の中央部６２ｄの間隔をＢ、一対の先端部６２ｅの間隔をＣ、とすると、Ａ＞Ｂ＞Ｃの関係を満たしている。すなわち、根元部６２ｃ同士の間隔は、中央部６２ｄ同士の間隔、及び先端部６２ｅ同士の間隔の双方よりも広く、先端部６２ｅ同士の間隔は中央部６２ｄ同士の間隔よりも狭い。よって、一対の第１押さえ部６２Ａは、板状部１１から離れるに従って互いに接近する方向に傾斜し、一対の第２押さえ部６２Ｂも同様に、板状部１１から離れるに従って互いに接近する方向に傾斜している。一例として、一対の根元部６２ｃの間隔Ａは２．２０ｍｍ、一対の中央部６２ｄの間隔Ｂは２．０５ｍｍ、一対の先端部６２ｅの間隔Ｃは１．９５ｍｍ、第１押さえ部６２Ａの肉厚は０．２５ｍｍである。
【００７１】
以上、第５実施形態に係る光モジュールでは、レセプタクル５を押さえる一対の第１押さえ部６２Ａが板状部１１から離れるに従って互いに接近する方向に傾斜している。よって、各第１押さえ部６２Ａとレセプタクル５との接触部Ｐ１は、レセプタクル５の中心点Ｐ２よりも下側（第１押さえ部６２Ａの先端側）に位置することになり、第１押さえ部６２Ａの押付力Ｘが上側に向かうように働く。その結果、レセプタクル５は第１押さえ部６２Ａに対して上側（第１押さえ部６２Ａの根元側）に押し上げられるので、クリップ部材６０からレセプタクル５を外れにくくすることができる。
【００７２】
更に、プラグ６を押さえる一対の第２押さえ部６２Ｂについても、板状部１１から離れるに従って互いに接近する方向に傾斜しているので、各第２押さえ部６２Ｂとプラグ６との接触部Ｐ１は、プラグ６の中心点Ｐ２よりも下側に位置することになり、第２押さえ部６２Ｂの押付力Ｘが上側に向かうように働く。従って、前述と同様、プラグ６は第２押さえ部６２Ｂに対して上側に押し上げられるので、クリップ部材６０からプラグ６を外れにくくすることができる。
【００７３】
従って、前述した振動試験及び衝撃試験等においても、第１押さえ部６２Ａ及び第２押さえ部６２Ｂをレセプタクル５及びプラグ６のそれぞれから外れにくくすることができるので、振動試験及び衝撃試験等におけるクリップ部材６０の嵌合を保持することができる。なお、第５実施形態では、第１押さえ部６２Ａ及び第２押さえ部６２Ｂの双方が互いに接近する方向に傾斜している例について説明した。しかしながら、第１押さえ部６２Ａ及び第２押さえ部６２Ｂの一方が互いに接近する方向に傾斜しており、第１押さえ部６２Ａ及び第２押さえ部６２Ｂの他方は互いに接近する方向に傾斜していなくてもよい。
【００７４】
以上、本発明に係る光モジュールの実施形態について説明したが、本発明に係る光モジュールは、前述の各実施形態に限定されず種々の変形が可能である。すなわち、光モジュールの各部の構成は、特許請求の範囲の要旨の範囲内において適宜変更可能である。例えば、前述の実施形態では、板状部１１の四隅のそれぞれに押さえ部１２が設けられるクリップ部材１０について説明した。しかしながら、押さえ部の位置、数及び配置態様は適宜変更可能である。更に、押さえ部の形状、大きさ及び材料についても適宜変更可能である。
【００７５】
前述の実施形態では、スタブ５ａ、スリーブ５ｂ、フランジ５ｃ及び円筒部５ｄを有するレセプタクル５と、スタブ６ａ、フランジ６ｂ及び円筒部６ｃを備えるプラグ６とを備える光モジュール１について説明した。しかしながら、レセプタクル及びプラグの形状、大きさ及び材料は適宜変更可能である。また、前述の実施形態では、光ファイバ保持部材の例としてプラグについて説明したが、光ファイバ保持部材はプラグ以外のものであってもよい。
【００７６】
前述の実施形態では、ハウジング２及び光ファイバ導入部３を備えた光モジュール１について説明した。しかしながら、ハウジング及び光ファイバ導入部の材料、大きさ及び形状は適宜変更可能である。更に、前述の実施形態では、光源モジュール（波長可変光源）を例として説明したが、ハウジングの内部に搭載される光素子の種類、数及び配置態様は適宜変更可能である。
【００７７】
前述の実施形態では、光トランシーバの内部に搭載されるコヒーレント光源モジュール、すなわち、波長可変光源について説明した。しかしながら、本発明に係る光モジュールは、例えば、ＩＣＲ（Integrated Coherent Receiver）、ＴＯＳＡ(TransmitterOptical Sub-Assembly)、ＲＯＳＡ（Receiver OpticalSub-Assembly）、又は、多値変調器と受信器の機能を持たせたシリコンフォトニクスを搭載したモジュールである小型コヒーレントサブアセンブリ（Coherent Optical Sub-Assembly：ＣＯＳＡ）若しくはＴＲＯＳＡ（Transmitter-Receiver Optical Sub Assembly）等、他の光モジュールであってもよい。
【図１】
2020535488.tif 000003
【図２】
2020535488.tif 000004
【図３】
2020535488.tif 000005
【図４】
2020535488.tif 000006
【図５】
2020535488.tif 000007
【図６】
2020535488.tif 000008
【図７Ａ】
2020535488.tif 000009
【図７Ｂ】
2020535488.tif 000010
【図８】
2020535488.tif 000011
【図９】
2020535488.tif 000012
【図１０】
2020535488.tif 000013
【図１１】
2020535488.tif 000014
【図１２】
2020535488.tif 000015
【図１３】
2020535488.tif 000016
【図１４】
2020535488.tif 000017
【図１５】
2020535488.tif 000018
【図１６】
2020535488.tif 000019
【図１７】
2020535488.tif 000020
【図１８】
2020535488.tif 000021
【図１９】
2020535488.tif 000022
【図２０】
2020535488.tif 000023
【図２１】
2020535488.tif 000024
【図２２】
2020535488.tif 000025
【国際調査報告】
2020535488.tif 000026
2020535488.tif 000027